(57)【要約】【課題】構造の複雑化を招くことなく外観の変化に富んだからくり時計を提供する。【解決手段】からくり時計１は、印加される電圧に応じて透明状態又は不透明状態となる調光ガラス４０ａ〜４０ｆと、調光ガラス４０ａ〜４０ｆの状態に応じて現出、隠蔽される装飾体５０ａ〜５０ｆとを備えている。また、調光ガラス４０ａ〜４０ｆは、点滅するように透明状態と不透明状態とを繰り返す。また、調光ガラス４０ａ〜４０ｆの状態に応じて現出、隠蔽されるＬＥＤ６０を備えている。【選択図】図７
2009258086.tif 000002
【特許請求の範囲】
【請求項１】
印加される電圧に応じて透過状態が変化する調光部材と、
前記調光部材の透過状態に応じて現出、隠蔽される装飾体とを備えた、ことを特徴とするからくり時計。
【請求項２】
前記調光部材は、点滅するように透明状態と不透明状態とを繰り返す、ことを特徴とする請求項１に記載のからくり時計。
【請求項３】
前記調光部材の透過状態に応じて現出、隠蔽される発光部を備えている、ことを特徴とする請求項１又は２に記載のからくり時計。
【請求項４】
前記発光部の射出光により、前記調光部材に前記装飾体のシルエット像が投影される、ことを特徴とする請求項３に記載のからくり時計。
【請求項５】
前記調光部材は、移動可能である、ことを特徴とする請求項１乃至４の何れかに記載のからくり時計。
【請求項６】
前記調光部材は、一体的に移動する複数の調光部材を含む、ことを特徴とする請求項１乃至５の何れかに記載のからくり時計。
【請求項７】
前記調光部材は、前記装飾体を包囲するように設けられた複数の調光部材を含む、ことを特徴とする請求項１乃至６の何れかに記載のからくり時計。
【請求項８】
前記複数の調光部材は、互いに異なるタイミングで前記透明状態と不透明状態とが切り替えられる、ことを特徴とする請求項６又は７に記載のからくり時計。
【請求項９】
前記複数の調光部材は、前記装飾体を直接視認可能に所定の間隔を有して配置されている、ことを特徴とする請求項６乃至８の何れかに記載のからくり時計。
【請求項１０】
前記装飾体は、移動可能である、ことを特徴とする請求項１乃至９の何れかに記載のからくり時計。
【請求項１１】
前記装飾体は、透過性を有している、ことを特徴とする請求項１乃至１０の何れかに記載のからくり時計。
【請求項１２】
前記調光部材は、調光ガラスである、ことを特徴とする請求項１乃至１１の何れかに記載のからくり時計。
【請求項１３】
前記調光部材は、調光フィルムである、ことを特徴とする請求項１乃至１１の何れかに記載のからくり時計。
【請求項１４】
前記調光フィルムは、湾曲面を有した湾曲部材に貼り付けられている、ことを特徴とする請求項１３に記載のからくり時計。
【発明の詳細な説明】
【技術分野】
【０００１】
本発明は、からくり時計に関する。
【背景技術】
【０００２】
従来から、正時になると所定のパフォーマンスを行うからくり時計が知られている。特許文献１に開示されているからくり時計は、人形などの装飾体と、装飾体を現出、隠蔽する扉とを備え、通常時は、装飾体を隠蔽し、正時になると扉が開いて装飾体が現出される。この扉は、歯車などから構成される駆動機構によって開閉動作する。
【先行技術文献】
【特許文献】
【０００３】
【特許文献１】特許３４９９２３７号公報
【発明の概要】
【発明が解決しようとする課題】
【０００４】
しかしながら、特許文献１に開示されているように、装飾体を現出、隠蔽するための駆動機構を設けると、からくり時計の構造が複雑化する。従って、構造の簡易化のためには、できるだけ可動する箇所が少ないことが望ましい。しかしながら、可動箇所が少ないと、外観の変化が少なく、面白みやインパクトに欠ける。また、可動箇所が多いと、様々な部品が駆動される際の作動音がパフォーマンスに影響を与えるおそれがある。
【０００５】
そこで、本発明は、構造の複雑化を招くことなく外観の変化に富み、かつ作動音の静かなからくり時計を提供することを目的とする。
【課題を解決するための手段】
【０００６】
上記課題を解決するために、本明細書に開示されているからくり時計は、印加される電圧に応じて透過状態が変化する調光部材と、前記調光部材の透過状態に応じて現出、隠蔽される装飾体とを備えている。この構成により、装飾体を現出、隠蔽するための扉や、その駆動機構を設ける必要がない。従って、構造の複雑化を抑制できる。また、このような駆動機構を設ける必要がないので、作動音も発生しない。更に、調光部材により装飾体が現出、隠蔽されるので、これまでにない面白みのあるパフォーマンスを実行することができる。
【発明の効果】
【０００７】
本発明によれば、構造の複雑化を招くことなく外観の変化に富み、かつ作動音の静かなからくり時計を提供できる。
【図面の簡単な説明】
【０００８】
【図１】実施例１のからくり時計の斜視図である。
【図２】実施例１のからくり時計の正面図である。
【図３】実施例１のからくり時計の機能ブロック図である。
【図４】通常時の調光ガラスの状態を示した図である。
【図５】図４のＡ−Ａ断面図である。
【図６】図５のＢ‐Ｂ断面図である。
【図７】実施例１のからくり時計のパフォーマンスの一態様を示した図である。
【図８】実施例１のからくり時計のパフォーマンスの一態様を示した図である。
【図９】実施例２のからくり時計の正面図である。
【図１０】図９のＣ−Ｃ断面図である。
【図１１】実施例２のからくり時計のパフォーマンスの一態様を示した図である。
【図１２】実施例２のからくり時計１Ａのパフォーマンスの一態様を示した図である。
【図１３】実施例２のからくり時計１Ａのパフォーマンスの一態様を示した図である。
【図１４】実施例２のからくり時計１Ａのパフォーマンスの一態様を示した図である。
【図１５】実施例３のからくり時計の正面図である。
【図１６】図１５のＤ−Ｄ断面図である。
【図１７】実施例３のからくり時計のパフォーマンスの一態様を示した図である。
【図１８】実施例３のからくり時計のパフォーマンスの一態様を示した図である。
【図１９】実施例３のからくり時計のパフォーマンスの一態様を示した図である。
【発明を実施するための形態】
【０００９】
以下、複数の実施形態について説明する。
【実施例１】
【００１０】
図１は、実施例１のからくり時計の斜視図、図２は、実施例１のからくり時計の正面図である。からくり時計１は、台座１０と、台座１０の上面に固定された円筒部１２と、円筒部１２に設けられた時計２０と、円筒部１２の上面に配置された柱部１４と、柱部１４を中心として回転する複数の装飾体５０と、装飾体５０を包囲するようにして円筒部１２の上面に配置された複数の調光ガラス４０と、柱部１４と調光ガラス４０とで支持された屋根部１６と、ケース１８とを備えている。
【００１１】
調光ガラス４０は、印加される電圧に応じて透過率が変わり、透明状態又は不透明状態になる。即ち、調光ガラス４０は、電圧に応じて透過状態が変化する。尚、調光ガラスは、液晶シートとガラス板とから構成され、液晶ガラスとも呼ばれる。調光ガラス４０は、詳細には、等間隔をおいて柱部１４の周囲に配置された６枚の調光ガラス４０ａ〜４０ｆから構成される。また、装飾体５０は、６個の装飾体５０ａ〜５０ｆから構成される。調光ガラス４０ａ〜４０ｆの数と、装飾体５０ａ〜５０ｆの数は対応している。
【００１２】
図３は、実施例１のからくり時計１の機能ブロック図である。からくり時計１は、時計２０、からくり本体３０、制御部９０、バッテリ９２、スピーカ９４を備えている。制御部９０は、ＣＰＵ（Central  Processing  Unit）、ＲＯＭ（Read  Only  Memory）、ＲＡＭ（Random  Access  Memory）などのハードウェア、所要のソフトウェアから構成され、からくり時計１全体の動作を制御する。からくり本体３０は、調光ガラス４０、装飾体５０、発光部として機能する複数のＬＥＤ（Light Emitting Diode）６０、複数の装飾体５０を回転させるための駆動機構７０を有している。制御部９０は、不図示の指針位置検出機構により正時を検出すると、または、不図示のパフォーマンスを実行させるスイッチが押されると、スピーカ９４から所定の音楽を出力させ、調光ガラス４０ａ〜４０ｆの透過状態を変更させる。また、複数の装飾体５０の動きを制御する。さらに、発光部６０を明滅させるなどする。
【００１３】
調光ガラス４０ａは、相対する面にそれぞれ導電膜を有する２枚のガラスと、導電膜間に挟まれた液晶層とを備えている。導電膜に電圧を印加していない場合には、液晶分子の向きが不均一であるので、液晶層への入射光は液晶分子により散乱してみえ、調光ガラス４０ａは不透明状態となる。導電膜に電圧を印加した場合に液晶分子が電界方向に配向し、液晶層に入射する入射光が液晶分子によって散乱されずに、調光ガラス４０ａは透明状態となる。調光ガラス４０ｂ〜４０ｆについても同様である。
【００１４】
図４は、通常時の調光ガラスの状態を示した図である。尚、図４については、からくり時計１の一部を省略してある。図５は、図４のＡ−Ａ断面図である。図４に示すように、通常時、すなわち、パフォーマンスが実行されていない時には、調光ガラス４０ａ〜４０ｆには電圧が印加されず、不透明状態にある。また、ＬＥＤ６０も消灯状態にある。また、調光ガラス４０ａ〜４０ｆは、装飾体５０ａ〜５０ｆのいずれかが視認可能な程度に所定の間隔を有して配置されている。これにより、パフォーマンスが実行されないときには、複数の調光ガラスの隙間から、装飾体５０を視認することができる。
【００１５】
尚、柱部１４は、図５に示すように、６角柱状に形成されており、外壁部１４ａ〜１４ｆを有している。調光ガラス４０ａ〜４０ｆは、それぞれ外壁部１４ａ〜１４ｆと平行に配置されている。柱部１４は、外壁部１４ａ〜１４ｆの６個の外面に対応して、６個の調光ガラス４０ａ〜４０ｆが設けられている。また、装飾体５０は、６個の装飾体５０ａ〜５０ｆから構成される。装飾体５０ａ〜５０ｆは、それぞれ透過性を有しており、例えばガラスや合成樹脂により成形されている。装飾体５０ａ〜５０ｆは、馬をモチーフにした人形である。また、装飾体５０ａ〜５０ｆは、駆動機構７０によって回転台１３と共に回転するが、柱部１４は回転しない。ＬＥＤ６０は、外壁部１４ａ〜１４ｆのそれぞれに２箇所づつ設けられている。また、ＬＥＤ６０は、柱部１４の外側に向けて光を出射する。
【００１６】
次に、駆動機構７０について説明する。図６は、図５のＢ‐Ｂ断面図である。図６に示すように、円筒部１２内には、支持板７１が配置され、支持板７１には、装飾体５０ａ〜５０ｆを回転させる駆動源であるモータ７３が固定されている。モータ７３は、制御部９０からの指令に応じて、バッテリ９２から電量の供給を受けて駆動する。モータ７３の回転軸は、回転軸７４と連結されており、モータ７３の回転軸の回転に伴って回転軸７４は一体に回転する。回転軸７４の先端には、回転台１３が固定されている。これにより、回転軸７４が回転すると回転台１３も回転する。
【００１７】
回転台１３には装飾体５０ａ、５０ｄが配置されている。従って回転台１３が回転すると装飾体５０ａ、５０ｄもそれに伴って回転する。尚、図６には示していないが、装飾体５０ｂ、５０ｃ、５０ｅ、５０ｆも、同様に、回転台１３に配置されている。従って、回転台１３が回転することにより、全ての装飾体５０ａ〜５０ｆが回転する。尚、詳細な説明は省略するが、回転台１３内には装飾体５０ａ〜５０ｆを回転と共に所定のストロークで上下動させる機構が組み込まれている。また、図５は、回転台１３及びモータ７３の内部構造については省略してある。
【００１８】
次に、からくり時計１のパフォーマンスについて説明する。
図７、図８は、実施例１のからくり時計１のパフォーマンスの一態様を示した図である。パフォーマンスが実行されると、スピーカ９４から所定の音楽が出力されて、ＬＥＤ６０が点灯する。次に装飾体５０ａ〜５０ｆが回転し始める。そして調光ガラス４０ａ、４０ｃ、４０ｅは、図７に示すように透明状態となり、調光ガラス４０ｂ、４０ｄ、４０ｆは、不透明状態となる。次に、図８に示すように、調光ガラス４０ｂ、４０ｄ、４０ｆが透明状態となり、調光ガラス４０ａ、４０ｃ、４０ｅは不透明状態となる。所定期間の間、図７に示した状態と、図８に示した状態が繰り返される。即ち、所定期間、調光ガラス４０が点滅するように、透明状態と不透明状態とを繰り返す。
【００１９】
その後、所定期間図７に示した状態に維持される。次に、所定期間図８に示した状態に維持される。このように、からくり時計１は、調光ガラス４０が点滅するように図７及び図８の状態を繰り返す状態と、所定期間図７に示した状態が維持される状態と、所定期間図８に示した状態が維持される状態との３つの状態が実行される。
【００２０】
本実施例に係るからくり時計１においては、以上のように調光ガラス４０を備えているので、装飾体５０を現出、隠蔽するための駆動機構を設ける必要がない。このため、からくり時計１の構造の複雑化を抑制できる。また、装飾体５０を現出、隠蔽するための駆動機構を設ける必要がないため、からくり時計１全体の作動音を抑制できる。従って、作動音がパフォーマンス時に出力される音楽へ悪影響を与える恐れも少ない。また、調光ガラス４０により装飾体５０が現出、隠蔽されるので、これにまでない面白みのあるパフォーマンスを実行することができる。
【００２１】
また、調光ガラス４０ａ〜４０ｆは、それぞれ点滅するように透明状態、不透明状態を繰り返す。このため、装飾体５０ａ〜５０ｆは、点滅するように現出、隠蔽される。このように、従来のからくり時計では得られない、外観の変化に富んだパフォーマンスを実行でき、視認者に強い印象を与えることができる。
【００２２】
また、パフォーマンス実行時においては、ＬＥＤ６０は点灯状態にある。このため、調光ガラス４０が透明状態、不透明状態を繰り返すことにより、調光ガラス４０を透過するＬＥＤ６０の出射光の見え方も変化する。このように、からくり時計１は光の演出性にも優れている。
【００２３】
また、ＬＥＤ６０の出射光により、不透明状態にある調光ガラスには、装飾体５０のシルエット像が投影されることになる。図７に示した状態では、不透明状態にある調光ガラス４０ｂ、４０ｄ、４０ｆに、装飾体５０のシルエット像が、図８に示した状態では、不透明状態にある調光ガラス４０ａ、４０ｃ、４０ｅに、装飾体５０のシルエット像が投影される。このように、装飾体５０を投影するためのスクリーンとして調光ガラス４０を用いることができ、更に演出性が向上する。
【００２４】
従来の構造の場合、スクリーンに装飾体５０を投影するような構造を得るためには、スクリーンとして機能する部材を配置する必要があった。しかも、本発明と同様の効果を得るためには扉の背後にスクリーン部材を配置し、どちらも開閉可能な構成にする必要がある。このため構造はさらに複雑化し、作動音がさらに大きくなる。本発明は、調光ガラス４０を用いることで、こうした不具合を起こすことなく、これにまでない面白みのあるパフォーマンスを実行することができる。
【００２５】
また、前述したようにＬＥＤ６０は柱部１４の外側に向けて光を出射し、また、装飾体５０は、柱部１４を中心として回転するので、装飾体５０は、ＬＥＤ６０の出射光の光路上を通過する。また、装飾体５０は、透過性を有しているので、ＬＥＤ６０の出射光は、装飾体５０を透過して所定の屈折角を有して出射される。このため、ＬＥＤ６０の出射光の光路が変化することになる。これにより、視認者により強い印象を与えることができる。
【００２６】
また、前述したように、調光ガラス４０は、電圧が印加されることにより、不透明状態から透明状態へと切り替わる。従って、調光ガラス４０ａ〜４０ｆの全てを同時に透明状態にすると、バッテリ９２の消費量が増大する。しかしながら、図７、図８に示したように、調光ガラス４０ａ、４０ｃ、４０ｅと、調光ガラス４０ｂ、４０ｄ、４０ｆとは、異なるタイミングで透明状態、不透明状態に切り替えられる。このように、同時に透明状態になるのは３つの調光ガラスのみであるので、バッテリ９２の電力消費を抑制できる。
【００２７】
また、からくり時計１は、図７及び図８の状態を繰り返す状態と、所定期間図７に示した状態が維持される状態と、所定期間図８に示した状態が維持される状態との３つの状態に切り替えられるので、これまでのからくり時計では得られなかった、外観の変化に富んだ演出を行うことができる。
【実施例２】
【００２８】
次に、実施例２のからくり時計１Ａについて説明する。図９は、実施例２のからくり時計１Ａの正面図であり、図１０は、図９のＣ−Ｃ断面図である。尚、図１０は機構を簡略化して記載してある。図９、図１０に示すように、からくり時計１Ａは、ケース１８Ａ、ケース１８Ａ内に収納された文字板２１、回転板４０Ａ等を含む。文字板２１の前面側には数字が印刷されている。詳しくは後述するが、文字板２１の正面に装飾体５１ａ〜５１ｄが固定されている。回転板４０Ａは、文字板２１よりも手前側に配置されている。ケース１８Ａの手前側には前面パネル１９が固定されている。前面パネル１９は、透明な合成樹脂により形成されている。また、図１０に示すように、ケース１８Ａ内には、指針を駆動するためのムーブメント２５Ａが設けられている。ムーブメント２５Ａは、軸部２６を駆動し、軸部２６の先端には指針が取付けられている。
【００２９】
回転板４０Ａは、略円板状である。回転板４０Ａは、透明であり略円形のベース板４５と、ベース板４５の背面に貼り付けられた調光フィルム４１ａ〜４１ｄとを含む。調光フィルム４１ａ〜４１ｄは、それぞれ扇状である。調光フィルム４１ａ〜４１ｄは、印加される電圧に応じて透過状態が変化する。調光フィルム４１ａ〜４１ｄは、ベース板４５の中心部周辺には貼り付けられていない。調光フィルム４１ａ〜４１ｄは、電源供給部１００によって電源が供給される。
【００３０】
電源供給部１００は、回転板４０Ａの調光フィルム４１ａ〜４１ｄの設けられていない中心部に対応して設けられ、ケース１８Ａ側の電源供給部１００ａ、回転板４０Ａ側の電源供給部１００ｂからなる。軸部２６が電源供給部１００ａ、１００ｂを貫通するように配置されている。図示しないが、電源供給部１００ａ、１００ｂの互いの電力線及び信号線はそれぞれ電源供給部１００ａ側に設けられた接片と、電源供給部１００ｂ側に設けられた円周状の端子とを接触させて接続されている。
【００３１】
電力線及び信号線のそれぞれに対応する円周状の端子は軸部２６と同心に設けられる。電源供給部１００ｂは、それぞれ調光フィルム４１ａ〜４１ｄに交流電力を供給する４系統の電力線と、これら電力線への交流電力の供給をオン、オフするための４系統のスイッチング素子と、これらスイッチング素子をオン、オフ動作させるスイッチング回路とを備える。スイッチング回路は信号線を介して後述する制御部と接続され、制御部に制御され、各スイッチング素子をオン、オフ動作させる。
【００３２】
電源供給部１００ａは、図示しないが、ムーブメント２５Ａと共通の直流電源から交流電力を得るインバータ回路と、当該インバータに接続され電源供給部１００ｂに交流電力を送るための電力線に接続された接片と、ムーブメント２５Ａと共通の直流電源からスイッチング回路に直流電力を送るための電力線に接続された接片と、後述する制御部からスイッチング回路に制御用の信号を送るための信号線に接続された接片とを備える。
【００３３】
図９は、通常時でのからくり時計１Ａを示している。通常時は、調光フィルム４１ａ〜４１ｄには電圧が印加されておらず、調光フィルム４１ａ〜４１ｄは不透明状態にある。調光フィルム４１ａ〜４１ｄへの電圧の印加状態は、実施例１のからくり時計１と同様に、制御部により制御される。制御部は、実施例１のからくり時計１と同様に、ケース１８Ａ内に設けられたＣＰＵ、ＲＯＭ、ＲＡＭなどにより構成される。
【００３４】
調光フィルム４１ａは、一対の透明電極フィルムと、一対の透明電極フィルムとの間に挟まれた液晶層とを備えている。透明電極フィルムに電圧を印加していない場合には、液晶分子の向きが不均一であるので、液晶層への入射光は液晶分子により散乱してみえ、調光フィルム４１ａは不透明状態となる。透明電極フィルムに電圧を印加した場合に液晶分子が電界方向に配向し、液晶層に入射する入射光が液晶分子によって散乱されずに、調光フィルム４１ａは透明状態となる。調光フィルム４１ｂ〜４１ｄについても同様である。
【００３５】
ケース１８Ａ内には、回転板４０Ａを回転させるためのモータ７３Ａが設けられている。モータ７３Ａは、回転軸７４Ａを有している。回転軸７４Ａの先端にはピニオンギア７５が設けられている。一方、ベース板４５の背面側には、リング状のギア４６が固定されている。ギア４６は透明なプラスチック製である。ギア４６は、ベース板４５と同心状に配置されている。ギア４６とピニオンギア７５とが噛合うことにより、モータ７３Ａの回転動力が回転板４０Ａと伝達される。通常時では、回転板４０Ａは停止している。また、図示しないが回転板４０Ａの軸支部分にはロータリーエンコーダが装着され、ロータリーエンコーダの出力は制御部に送られ、制御部は回転板４０Ａの回転位置を検知し、これに応じてモータ７３Ａを制御し回転板４０Ａを回転せしめる。
【００３６】
次に、実施例２のからくり時計１Ａのパフォーマンスについて説明する。
図１１〜図１４は、実施例２のからくり時計１Ａのパフォーマンスの一態様を示した図である。パフォーマンスが実行されると、図１１に示すように、調光フィルム４１ａ〜４１ｄのうち、調光フィルム４１ａ、４１ｃは不透明状態のままであり、調光フィルム４１ｂ、４１ｄが透明状態となる。即ち、調光フィルム４１ｂ、４１ｄに電圧が印加される。これにより、通常時において、調光フィルム４１ｂ、４１ｄにより隠蔽されていた装飾体５１ｂ、５１ｄが現出される。
【００３７】
この状態で、図１２に示すように、回転板４０Ａが反時計方向に回転し始める。図１２に示すように、回転板４０Ａが回転し始めると、調光フィルム４１ａ、４１ｃが移動して、隠蔽されていた装飾体５１ａ、５１ｃが現出し始める。また、装飾体５１ｂ、５１ｄは、それぞれ調光フィルム４１ａ、４１ｃにより隠蔽され始める。更に回転板４０Ａが反時計方向に回転すると、図１３に示すように、装飾体５１ａ、５１ｃの略全体が現出し、装飾体５１ｂ、５１ｄが、それぞれ調光フィルム４１ａ、４１ｃにより隠蔽される。更に回転板４０Ａが回転すると、図１４に示すように、再び装飾体５１ｂ、５１ｄが現出し始め、装飾体５１ａ、５１ｃが隠蔽され始める。
【００３８】
このように、からくり時計１Ａは、通常時においては、調光フィルム４１ａ〜４１ｄにより装飾体５１ａ〜５１ｄの全てが隠蔽され、パフォーマンス時においては、調光フィルム４１ｂ、４１ｄのみが透明状態となって回転板４０Ａが回転する。これにより、回転板４０Ａの回転に応じて、装飾体５１ａ〜５１ｄが、現出、隠蔽されるので、これまでにない面白みのあるパフォーマンスを実行することができる。
【００３９】
上述したようなからくり時計１Ａのように、調光部材として調光フィルムを用いることにより、装飾体５１ａ〜５１ｄを隠蔽、現出させることができる。このため、装飾体５１ａ〜５１ｄの少なくとも一部を隠蔽、現出させるための駆動機構を設ける必要がない。尚、モータ７３Ａ等は、現出、隠蔽される装飾体５１ａ〜５１ｄの見え方を変化させるために回転板４０Ａを回転させるものであって、装飾体５１ａ〜５１ｄを直接、隠蔽、現出するための駆動機構には当らない。また、調光部材として調光フィルムを用いることにより、調光部材の配置位置の自由度が向上する。従って、上記のように回転する板にも調光フィルムを貼り付けることができる。
【００４０】
尚、回転板４０Ａを回転させながら、調光フィルム４１ａ〜４１ｄが点滅するように透明状態と不透明状態とを繰り返すように制御してもよい。また、回転板４０Ａを回転させつつ、調光フィルム４１ａ、４１ｃを不透明状態にして調光フィルム４１ｂ、４１ｄを透明状態にし、所定時間経過後に、調光フィルム４１ａ、４１ｃを透明状態にして調光フィルム４１ｂ、４１ｄを不透明状態にしてもよい。
【実施例３】
【００４１】
次に、実施例３のからくり時計１Ｂについて説明する。図１５は、実施例３のからくり時計１Ｂの正面図であり、図１６は、図１５のＤ−Ｄ断面図である。図１５に示すように、からくり時計１Ｂは、台座１０Ｂと、台座１０Ｂ上に設けられた枠体１２Ｂとを備えている。枠体１２Ｂの正面側の中央部には、時計２０Ｂが固定されている。時計２０Ｂの下方であって、台座１０Ｂ上には回転可能な装飾体５５が設けられている。
【００４２】
図１６に示すように、枠体１２Ｂの両側部には、それぞれ透明な湾曲板４４ａ、４４ｂが設けられている。湾曲板４４ａ、４４ｂは、図１６に示すように、湾曲している。湾曲板４４ａの内側の湾曲面に調光フィルム４２ａが貼り付けられている。同様に、湾曲板４４ｂの内側の湾曲面に調光フィルム４２ｂが貼り付けられている。調光フィルム４２ａ、４２ｂは、フィルム状であって可撓性を有しているため、このような湾曲した面にも貼り付けることができる。このように、調光部材の配置の自由度が向上している。
【００４３】
枠体１２Ｂの両側部には、装飾体５２ａ、５２ｂが配置されている。装飾体５２ａは、湾曲板４４ａと枠体１２Ｂとによって囲まれている。装飾体５２ｂは、湾曲板４４ｂと枠体１２Ｂとによって囲まれている。図１５は、通常時でのからくり時計１Ｂを示している。調光フィルム４２ａ、４２ｂへの電圧の印加状態は、実施例１のからくり時計１と同様に、制御部により制御される。
【００４４】
次に、実施例３のからくり時計１Ｂのパフォーマンスについて説明する。
図１７〜図１９は、実施例３のからくり時計１Ｂのパフォーマンスの一態様を示した図である。パフォーマンスが実行されると、図１７に示すように、調光フィルム４２ａに電圧が印加されて調光フィルム４２ａが透明状態となる。これにより、調光フィルム４２ａにより隠蔽されていた装飾体５２ａが現出する。一方調光フィルム４２ｂには電圧が印加されずに調光フィルム４２ｂは不透明状態のままである。
【００４５】
次に、調光フィルム４２ａへの電圧の印加が停止され、調光フィルム４２ｂへ電圧が印加される。これにより、図１８に示すように、調光フィルム４２ａが不透明状態となって装飾体５２ａが隠蔽されて、調光フィルム４２ｂが透明状態となることにより装飾体５２ｂが現出する。
【００４６】
次に、調光フィルム４２ａへの電圧が印加されて、調光フィルム４２ａが透明状態となる。これにより、装飾体５２ａが現出する。また、調光フィルム４２ｂへの電圧は印加されたままの状態となる。これにより、図１９に示すように、装飾体５２ａ、５２ｂの双方が現出した状態となる。
【００４７】
以上のように、からくり時計１Ｂにおいては、装飾体５２ａ、５２ｂを現出、隠蔽するための駆動機構を設ける必要がない。
【００４８】
以上本発明の好ましい一実施形態について詳述したが、本発明は係る特定の実施形態に限定されるものではなく、特許請求の範囲に記載された本発明の要旨の範囲内において、種々の変形・変更が可能である。
【００４９】
上記実施例１において、発光部を点滅してもよい。装飾体５０は、馬をモチーフにした人形であるが、その他のものをモチーフにしてもよい。
【００５０】
調光ガラス４０への電圧の印加を制御して、半透明状態となるように制御してもよい。
【符号の説明】
【００５１】
１  からくり時計
１０  台座
１２  円筒部
１３  回転台
１４  柱部
１４ａ〜１４ｆ  外壁部
１６  屋根部
１８  ケース
２０  時計
３０  からくり本体
４０、４０ａ〜４０ｆ  調光ガラス
４０Ａ  回転板
４１ａ〜４１ｄ、４２ａ、４２ｂ  調光フィルム
５０、５０ａ〜５０ｆ、５１ａ〜５１ｄ、５２ａ、５２ｂ  装飾体
７０  駆動機構
７３  モータ
７４  回転軸
９０  制御部
９２  バッテリ
９４  スピーカ
【図１】
2009258086.tif 000003
【図２】
2009258086.tif 000004
【図３】
2009258086.tif 000005
【図４】
2009258086.tif 000006
【図５】
2009258086.tif 000007
【図６】
2009258086.tif 000008
【図７】
2009258086.tif 000009
【図８】
2009258086.tif 000010
【図９】
2009258086.tif 000011
【図１０】
2009258086.tif 000012
【図１１】
2009258086.tif 000013
【図１２】
2009258086.tif 000014
【図１３】
2009258086.tif 000015
【図１４】
2009258086.tif 000016
【図１５】
2009258086.tif 000017
【図１６】
2009258086.tif 000018
【図１７】
2009258086.tif 000019
【図１８】
2009258086.tif 000020
【図１９】
2009258086.tif 000021